(57)【要約】【課題】防盗性に優れ且つデザイン性を追求可能な低コストの自動販売機を提供する。【解決手段】商品を収容するための開口面を有する本体と、接客パネルと、商品取出口と、本体との間のロック機構とが配設される第１の金属板を有し、開口面を開放又は閉塞するドアと、を備えた自動販売機において、ドアは、少なくとも接客パネル及び商品取出口が露出した状態で、第１の金属板の表面を所定距離を介して覆う第２の金属板、を有してなる。【選択図】      図１
2006277381.tif 000002
【特許請求の範囲】
【請求項１】
商品を収容するための開口面を有する本体と、
接客パネルと、商品取出口と、前記本体との間のロック機構とが配設される第１の金属板を有し、前記開口面を開放又は閉塞するドアと、
を備えた自動販売機において、
前記ドアは、少なくとも前記接客パネル及び前記商品取出口が露出した状態で、前記第１の金属板の表面を所定距離を介して覆う第２の金属板、を有することを特徴とする自動販売機。
【請求項２】
前記第２の金属板は、複数の金属板を組み合わせてなることを特徴とする請求項１に記載の自動販売機。
【請求項３】
前記第２の金属板は、前記第１の金属板よりも強度が弱いことを特徴とする請求項１又は２に記載の自動販売機。
【請求項４】
前記ロック機構は、機械鍵の操作によって前記ドアを施錠又は開錠するものであり、
前記第２の金属板は、前記ロック機構が更に露出した状態で、前記第１の金属板の表面を所定距離を介して覆う、ことを特徴とする請求項１乃至３の何れかに記載の自動販売機。
【発明の詳細な説明】
【技術分野】
【０００１】
本発明は、商品を収容する本体とドアとを備えた自動販売機に関する。
【背景技術】
【０００２】
自動販売機は、商品を収容し、顧客の要求に応じてこの商品を自動的に販売する装置である。比較的大量の商品を収容している上に、例えば無人の場所に設置されることがあるため、自動販売機は、商品の不正な獲得のために破壊されるという被害を予め想定した構造を有している。特に顧客が金銭を投入するタイプの自動販売機は少なくとも投入された金銭や釣銭等を蓄えているため、より大きな被害を想定しなければならない。所謂自販機ビジネスで正当な利益を得るために、自動販売機は、一般に防盗の目的から堅牢な構造を有するものである。
【０００３】
そこで、自動販売機には、商品を収容する本体と、接客パネル並びに商品取出口及び本体間のロック機構が配設される金属板を有するドアと、を備えたものがある。この自動販売機は、顧客が接客パネルを通じて商品を購入する要求を入力すると、本体から商品取出口へこの商品を供給するようになっている。本体の開口面をドアが閉塞し、この閉塞された状態をロック機構が施錠することにより、外部から商品にアクセスすることを困難にしている。また、例えば、ドアの金属板を所定の厚さにしたり、この金属板の一部を防盗用の金属板で更に補強したりすることにより、このロック機構にも容易にアクセスできないようになっている（例えば、特許文献１参照。）。
【特許文献１】特開２００４−９４８６８号公報
【発明の開示】
【発明が解決しようとする課題】
【０００４】
ところで、近年、前述した自動販売機に対する犯罪の手口が高度化しているため、破壊の不可能な自動販売機を提供することは現実的ではない。そこで、前述したドア及びロック機構には、仮にこれを破壊しようとしても時間がかかるような構造が必要となっている。
【０００５】
例えば前述したように、ドアの金属板をより厚くしたり、防盗用の金属板でより補強したりしておけば、もしこれが破壊される場合には金属板の厚さや補強の度合等に応じた時間をかせげるという利点がある一方、強度を優先するが故にドアの見栄えが悪くなるという問題がある。尚、例えば窃盗犯が自動販売機を破壊するのに要する時間が長くなるほど、この窃盗犯が作業を途中で諦める確率が高くなるとされているため、時間をかせぐということは、自動販売機の防盗性につながるものである。
【０００６】
また、例えば前述したように、所定の厚さの金属板を有しこの金属板の一部が防盗用の金属板で更に補強されたドアについては、もしその一部に穴が開けられて工具等の支点として利用される場合、この穴の近傍が堅牢であることがむしろ欠点となり、工具等の操作を容易にさせてしまう点で防盗性の問題が残る。
【０００７】
更に、このようなドアは、もし破壊が試みられた場合には新品と交換しなければならず、これにはコストが嵩む。
【０００８】
本発明は、かかる課題に鑑みてなされたものであり、その目的とするところは、防盗性に優れ且つデザイン性を追求可能な低コストの自動販売機を提供することにある。
【課題を解決するための手段】
【０００９】
前記課題を解決するための発明は、商品を収容するための開口面を有する本体と、接客パネルと、商品取出口と、前記本体との間のロック機構とが配設される第１の金属板を有し、前記開口面を開放又は閉塞するドアと、を備えた自動販売機であって、前記ドアは、少なくとも前記接客パネル及び前記商品取出口が露出した状態で、前記第１の金属板の表面を所定距離を介して覆う第２の金属板、を有してなる。
【００１０】
この自動販売機によれば、ドアの第１の金属板は、少なくとも接客パネル及び商品取出口の部分以外は、所定距離を介して第２の金属板に覆われていることになる。よって、接客パネル及び商品取出口から本体の開口面に容易にアクセスできないようにさえしておけば、もし開口面へアクセスするためにドアの第１の金属板を破壊しようとしても、この前に必ず第２の金属板を破壊しなければならないため、前述した破壊作業に要する時間がかせげる。ここで、例えば第２の金属板があたかも１枚のドアであるかのような外見を呈していれば、例えば窃盗犯は、この第２の金属板を破壊した後、更に所定距離だけ奥に第１の金属板を見いだした時点で破壊を諦めてしまうという心理的な効果もある。何故なら、もし第１の金属板における複数箇所からアクセスしようとすれば、先ず第２の金属板を全て取り払うという手間がかかるからである。これにより自動販売機の防盗性が高まる。また、もし第２の金属板が破壊されたがこれが第１の金属板まで至らずに済んだ場合、第２の金属板のみを交換すればよい。これにより自動販売機は低コストになる上に、被害後のドアの交換時間を短縮できる。更に、第１の金属板と第２の金属板とは所定距離を隔てているため、例えば、第１の金属板に対してドアの強度を高めるための厚みや形状等をもたせ、第２の金属板にはドアのデザイン性を高めるためだけの形状等をもたせることが可能である。以上から、防盗性に優れ且つデザイン性を追求可能な低コストの自動販売機が提供されたことになる。自動販売機のデザイン性が高まれば集客効果も見込める。
【００１１】
また、かかる自動販売機において、前記第２の金属板は、複数の金属板を組み合わせてなることが好ましい。  
この自動販売機によれば、もし、複数の第２の金属板のうちの例えば一部が破壊されたが、この破壊が他の第２の金属板及び第１の金属板まで至らずに済んだ場合、前記の一部のみを交換すればよい。これにより、自動販売機はより低コストとなる上に、被害後のドアの交換時間をより短縮できる。
【００１２】
また、かかる自動販売機において、前記第２の金属板は、前記第１の金属板よりも強度が弱いことが好ましい。  
この自動販売機によれば、もし第２の金属板の一部に穴が開けられて工具等の支点として利用される場合でも、この穴の近傍の第２の金属板は、第１の金属板よりも強度が弱いことから容易に変形してしまい、工具等を操作するための支点として機能し難いことになる。これにより前述した破壊作業に要する時間がかせげて、結果的には自動販売機の防盗性がより高まる。
【００１３】
また、かかる自動販売機において、前記ロック機構は、機械鍵の操作によって前記ドアを施錠又は開錠するものであり、前記第２の金属板は、前記ロック機構が更に露出した状態で、前記第１の金属板の表面を所定距離を介して覆う、こととしてもよい。  
この自動販売機によれば、ロック機構において、機械鍵を操作するために例えばルートマンが触れる部分のみを露出し、その他の主要な部分を第２に金属板で覆うことができる。ここで、第１の金属板と第２の金属板との間の所定距離を有する間隙には、例えば前記の主要な部分を防盗板等で保護することができる。よって、ロック機構の外見を例えば簡素に保持しつつ保護できる。これにより自動販売機の防盗性がより高まる。
【発明の効果】
【００１４】
防盗性に優れ且つデザイン性を追求可能な低コストの自動販売機を提供できる。
【発明を実施するための最良の形態】
【００１５】
＝＝＝自動販売機の概略構成＝＝＝
図１を参照しつつ、本実施の形態の自動販売機１０の外観構成例について説明する。同図は、本実施の形態の自動販売機１０の外観構成例を示す斜視図である。
【００１６】
本実施の形態の自動販売機１０は、主として、商品を収容する筐体（本体）２０と、この筐体２０に対してヒンジ（不図示）を介して設けられ、筐体２０の開口面を開放又は閉塞する外扉（ドア）５０と、を備えて構成されている。この外扉５０は、主として、接客面（接客パネル）３００、釣銭返却口（接客パネル）３１４、商品取出口３２０、及びロック機構３３０が設けられた内側金属板（第１の金属板）２００（図２参照）と、この内側金属板２００の化粧扉としての外側金属板（第２の金属板）４００と、を備えている。
【００１７】
尚、以後、外扉５０に関しては、その表側（又は外側）は、図１乃至図６に例示される座標における＋Ｚ側を意味し、その裏側（又は内側）は−Ｚ側を意味するものとする。
【００１８】
接客面３００には、顧客が商品を選択するための商品選択釦（不図示）等が設けられた商品パネル３００ａ、３００ｂ、顧客が金銭を支払うための硬貨投入口３１１及び紙幣挿入口３１２、顧客が前述した釣銭返却口３１４から金銭の返却を求めるための釣銭返却釦３１３等が設けられている。
【００１９】
商品取出口３２０は、顧客が、商品選択釦を通じて選択し購入した商品を外扉５０の表側からアクセスして取り出すためのものである。
【００２０】
ロック機構３３０は、例えば特開２００４−９４８６８号公報に開示されているように、筐体２０と外扉５０との間に設けられ、筐体２０の開口面を外扉５０により閉塞した状態で施錠する又はこれを開錠する機能を有する周知の機構である。本実施の形態では、例えばルートマンがこのような施錠又は開錠を手動で実施するものであり、外扉５０の表側には、手動式のロック機構３３０におけるハンドル部３３１及び鍵部３３２が設けられている。この鍵部３３２は、後述する施錠状態にあるハンドル部３３１を固定する又は当該固定から解除する機能を有するものである。
【００２１】
本実施の形態のロック機構３３０は、Ｙ方向に沿って上下に摺動可能なスライダロック３３３（図２参照）を、外扉５０の裏側に更に備えている。スライダロック３３３の突片３３３ａ（図６参照）と、ハンドル部３３１の裏側のレバー３３１ａ（図６参照）とは互いに係合可能となっている。これにより、スライダロックは、表側のハンドル部３３１の回動に伴うレバー３３１ａの回動に応じて、外扉５０に対して上下に摺動するようになっている。
【００２２】
一方、本実施の形態のロック機構３３０は、スライダロック３３３の上下の摺動に応じて、このスライダロック３３３と係合及び当該係合から開放可能なフック（不図示）を、筐体２０の開口面に更に備えている。
【００２３】
前述した構成に基づき、外扉５０を筐体２０に対して閉じた状態でハンドル部３３１を所定方向に回動させることにより、この外扉５０は施錠されることになり、このハンドル部３３１を所定方向とは逆の方向に回動させることにより、この外扉５０は開錠されることになる。
【００２４】
尚、本実施の形態の自動販売機１０では、顧客が金銭を投入し商品選択釦を押下して商品を購入するものであるが、これに限定されるものではない。金銭の支払いは、例えばカード式であってもよい。この場合、自動販売機１０は、所定のカード読取部を接客パネルとして備える必要がある。或いは、金銭を投入したり、カードを翳したりするだけで、単一の商品が販売されるものであってもよい。この場合、自動販売機１０は、商品選択釦を必要としない。
【００２５】
図２を参照しつつ、本実施の形態の自動販売機１０の内部構成例について説明する。同図は、本実施の形態の自動販売機１０の内部構成例を示す斜視図である。
【００２６】
本実施の形態の自動販売機１０は、筐体２０の内部に商品収納コラム２１を備えている。商品が例えば箱状に包装されたタバコの場合、商品収納コラム２１の上下方向（Ｙ方向）の内部には、商品種類毎に分類された複数のタバコが積層した状態で収納される。各商品収納コラム２１の下方（−Ｙ側）には、積層における最下位置のタバコを所定の動力源でもって例えばベルト式でその前方側（＋Ｚ側）に払い出す払出部（不図示）が設けられている。販売時において、払出部により商品収納コラム２１から払い出されたタバコは、シュータ２３に落下し、このシュータ２３の開口部２３ａと対向する商品取出口３２０に導かれるようになっている。
【００２７】
尚、図２の例示では、外扉５０は、筐体２０に対して開かれているが、販売時には閉じられており、シュータ２３の開口部２３ａと、商品取出口３２０の裏側とが相互に接続するように構成されている。また、図２の例示では、外扉５０の裏側にも商品収納コラム２２が設けられている。各商品収納コラム２２の下方には、積層における最下位置のタバコを所定の動力源でもって例えばベルト式でその後方側（−Ｚ側）に払い出す払出部（不図示）が設けられている。販売時において、払出部により商品収納コラム２２から払い出されたタバコがシュータ２３に落下し商品取出口３２０に導かれるようになっている。
【００２８】
前述した外扉５０を構成する内側金属板２００は、外側金属板４００と商品収納コラム２２との間に設けられている。この内側金属板２００の裏側と、商品収納コラム２２との間における図２の点線で囲んだ領域には、前述したロック機構３３０が設けられている。また、この内側金属板２００の裏側と、商品収納コラム２２との間には、前述した硬貨投入口３１１、紙幣挿入口３１２、及び釣銭返却口３１４に対応する、金銭処理のための所定の機構（不図示）が設けられている。このロック機構３３０の一部及び金銭処理のための所定の機構は、内側金属板２００の裏側に固定されている。
【００２９】
＝＝＝ドアの構成＝＝＝
図３を参照しつつ、前述した外側金属板４００及び内側金属板２００の構成例についてより詳細に説明する。図３（ａ）は、本実施の形態の外扉５０及び筐体２０の分解構成例を示す斜視図であり、図３（ｂ）は、図３（ａ）に例示された外扉５０及び筐体２０の組立構成例を示す斜視図である。
【００３０】
図３（ａ）に例示されるように、本実施の形態の内側金属板２００は、その裏側において、筐体２０の開口面Ｓを閉塞する形状をなし、その表側において、接客面３００、釣銭返却口３１４、商品取出口３２０、及びロック機構３３０が設けられた成型鉄板である。図３（ａ）の例示では、内側金属板２００は、筐体２０の開口面Ｓと略同形状をなす長方形の板と、この長方形の上側（＋Ｙ側）、左側（−Ｘ側）、及び右側（＋Ｘ側）の３辺において曲げ加工された３つの側片と、からなっている。この内側金属板２００を構成する鉄板の厚さは、例えば１．０ｍｍである。
【００３１】
一方、図３（ａ）に例示されるように、本実施の形態の外側金属板４００は、上部板４１０と、左右２つの側部板４２０ａ、４２０ｂと、下部板４３０と、を備えて構成されている。
【００３２】
上部板４１０は、内側金属板２００の表側における接客面３００より上の部分を覆う形状をなす成型鉄板である。また、上部板４１０は、その裏面と、内側金属板２００の表面とが所定距離を有するように内側金属板２００に固定されている。
【００３３】
側部板４１０ａ、４２０ｂは、左右に略対称な形状をなし、内側金属板２００の側片と、内側金属板２００の表側における接客面３００より下の部分とを覆う形状をなす成型鉄板である。ここで、側部板４２０ａは、商品取出口３２０を表側に露出させるべく、これらを回避する形状をなし、側部板４２０ｂは、釣銭返却口３１４、商品取出口３２０、及びロック機構３３０を表側に露出させるべく、これらを回避する形状をなすものである。また、側部板４２０ａは、その裏面と、内側金属板２００の表面との間の所定距離が、左側から中央にかけて徐々に短くなるように内側金属板２００に固定され、側部板４１０ｂは、その裏面と、内側金属板２００の表面との間の所定距離が、右側から中央にかけて徐々に短くなるように内側金属板２００に固定されている。
【００３４】
下部板４３０は、内側金属板２００の表側における商品取出口３２０より下の部分を覆う形状をなす成型鉄板である。また、下部板４３０は、その裏面と、内側金属板２００の表面とが所定距離を有するように内側金属板２００に固定されている。尚、この所定距離は、前述した上部板４１０及び側部板４２０ａ、４２０ｂの場合の所定距離よりも長く設定されている。つまり、上部板４１０及び側部板４２０ａ、４２０ｂに比べて、下部板４３０がより前方（＋Ｚ側）に突出するようになっている。
【００３５】
尚、本実施の形態の外側金属板４００を構成する鉄板の厚さは、例えば０．８ｍｍである。また、本実施の形態では、外側金属板４００は、内側金属板２００に対して例えばネジ留め固定されているものとする。
【００３６】
図３（ｂ）に例示されるように、前述した構成によれば、上部板４１０、側部板４２０ａ、４２０ｂ、及び下部板４３０を内側金属板２００に固定すると、外扉５０の外観はあたかもその全体が外側金属板４００で構成されているようになっている。尚、本実施の形態の外側金属板４００は、内側金属板２００の裏側からボルト及びナット等で固定（ネジ留め固定）されている。
【００３７】
＜＜＜ロック機構周辺の構成＞＞＞
図４乃至図６を参照しつつ、本実施の形態のロック機構３３０周辺の内側金属板２００及び外側金属板４００の構成例についてより詳細に説明する。図４は、本実施の形態のロック機構３３０及びその周辺の構成例を説明するための外扉５０の部分断面図である。図５（ａ）は、本実施の形態の外扉５０の表側から見たロック機構３３０の内側金属板２００に対する設置例を示す斜視図であり、図５（ｂ）は、本実施の形態の外扉５０の表側から見たロック機構３３０と外側金属板４００との配置例を示す斜視図である。図６は、本実施の形態の外扉５０の裏側から見たロック機構３３０の内側金属板２００に対する設置例を示す斜視図である。
【００３８】
図４に例示されるように、ロック機構３３０は、内側金属板２００に対して、固定板２３１、２３４等を介してネジ留め固定されている。また、ロック機構３３０は、そのハンドル部３３１及び鍵部３３２が内側金属板２００の表側に露出し、そのレバー３３１ａ（図６）等が内側金属板２００の裏側に露出するように固定されている。また、外側金属板の側部板４２０ｂは、ハンドル部３３１及び鍵部３３２の一部が表側に露出するように孔部４２５を有し、内側金属板２００に対して所定距離を保持してネジ留め固定されている。ここで、内側金属板２００及び側部板４２０ｂの間には、これらが相互に所定距離を保持するための支持部材２３２が介在している。更に、本実施の形態では、防盗板２３５、２３６が、ロック機構３３０の裏側を覆うように、内側金属板２００の裏側にネジ留め固定されている。
【００３９】
以上の構成を、図５及び図６の斜視図を参照しつつ補足説明する。図５（ａ）に例示されるように、前述したハンドル部３３１及び鍵部３３２は、内側金属板２００の表側に対し、箱形状をなす固定板２３１を介してネジ留め固定されている。この固定板２３１の箱形状は、ハンドル部３３１及び鍵部３３２に対して例えばルートマンがアクセスする部分以外を全て覆うようになっている。尚、図５（ａ）の例示では、ハンドル部３３１及び鍵部３３２の周囲の内側金属板２００の表側に対して、前述した支持部材２３２、２３３がネジ留め固定されている。また、図５（ｂ）に例示されるように、前述した側部板４２０ｂは、ハンドル部３３１及び鍵部３３２におけるルートマンがアクセスする部分のみを孔部４２５から露出させるように、内側金属板２００にネジ留め固定される。図５（ｂ）の例示において明らかなように、外扉５０の外観からは、ロック機構３３０はあたかも外側金属板４００に設置されているように見える。更に、図６に例示されるように、前述したハンドル部３３１の裏側は、内側金属板２００の裏側に対し、固定板２３４を介してネジ留め固定されている。防盗板２３５が、ロック機構３３０の裏側の側部を囲むように、内側金属板２００の裏側にネジ留め固定されている。
【００４０】
＝＝＝防盗性に優れ且つデザイン性を追求可能な低コストの自動販売機＝＝＝
前述した自動販売機１０によれば、外扉５０の内側金属板２００の表側は、接客面３００、釣銭返却口３１４、商品取出口３２０、ハンドル部３３１、及び施錠部３３２を除いて、所定距離を介して外側金属板４００に覆われていることになる。一般に、接客面３００、釣銭返却口３１４、商品取出口３２０等の裏側は防盗板で保護されており、前述したように、ハンドル部３３１及び施錠部３３２の裏側にも防盗板２３５、２３６（図６）が設けられているため、これらから筐体２０の開口面には容易にアクセスできない。もし窃盗犯が筐体２０の開口面へアクセスするために外扉５０を破壊しようとしても、先ず外側金属板４００を破壊した後に内側金属板２００を破壊しなければならないため、破壊作業に時間がかかる。そこで、内側金属板２００の厚さ（例えば１．０ｍｍ）及び外側金属板４００の厚さ（例えば０．８ｍｍ）を、窃盗犯が破壊作業を途中で諦めてしまうような破壊所用時間（統計値）に基づく値に設定すれば、自動販売機１０の防盗性が高まる。また、外側金属板４００は、これがあたかも１枚の外扉５０であるかのような外見を呈しているため、窃盗犯は、この外側金属板４００を破壊した後、更に所定距離だけ奥に内側金属板２００を見いだした時点で破壊を諦めてしまうという心理的な効果もある。何故なら、奥に見える内側金属板２００における複数箇所からアクセスしようとすれば、先ず外側金属板４００を全て取り払うという手間がかかるからである。
【００４１】
また、前述した自動販売機１０によれば、もし外側金属板４００の一部に穴が開けられて窃盗用の工具の支点として利用される場合でも、この穴の近傍の外側金属板４００は、内側金属板２００よりも薄くて強度が弱いことから容易に変形してしまい、工具を操作するための支点として機能し難いことになる。これにより前述した破壊作業に要する時間がかせげて、結果的には自動販売機１０の防盗性がより高まる。ここで、外側金属板４００の厚さと、内側金属板２００及び外側金属板４００の間の所定距離とは、窃盗犯が破壊作業を途中で諦めてしまうような破壊所用時間（統計値）に基づく値に設定できる。例えば、外側金属板４００がより薄くなれば、窃盗用の工具の支点にはなり難くなり、内側金属板２００及び外側金属板４００の間の所定距離がより長くなれば、この外側金属板４００を残したままでは窃盗用の工具を操作し難くなる。
【００４２】
更に、前述した自動販売機１０によれば、もし外側金属板４００が破壊されたがこの破壊が内側金属板２００まで至らずに済んだ場合、この外側金属板４００のみを交換すればよい。ここで、本実施の形態の外側金属板４００は、更に、上部板４１０、側部板４２０ａ、４２０ｂ、及び下部板４３０からなる。そこで、このうちの例えば一部が破壊されたが、この破壊が他の外側金属板４００及び内側金属板２００まで至らずに済んだ場合、より低コストで外扉５０を交換できる。これにより自動販売機１０は低コストになる上に、被害後の外扉５０の交換時間を短縮できる。
【００４３】
更にまた、前述した自動販売機１０によれば、図１及び図３に例示されるように、２つの側部板４２０ａ、４２０ｂは、Ｘ方向に沿って左右端部から中央部にかけて、−Ｚ側に凹形状をなすように配置できる。これは、内側金属板２００と外側金属板４００とが所定距離を隔てているためである。つまり、内側金属板２００に対して、外扉５０の強度を高めるための厚み（例えば１．０ｍｍ）や形状（例えば平坦形状）をもたせ、外側金属板４００に対して、外扉５０のデザイン性を高めるためだけの形状（例えば凹形状）をもたせている。このように自動販売機１０のデザイン性が高まれば集客効果も見込める。
【００４４】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００４５】
前述した実施の形態の外側金属板４００は、４つの金属板４１０、４２０ａ、４２０ｂ、４３０の組み合わせであったが、これに限定されるものではない。外側金属板４００は、例えば１つの金属板であってもよいし、５つ以上の金属板の組み合わせであってもよい。
【００４６】
また、前述した実施の形態では、外側金属板４００は内側金属板２００よりも薄い鉄板からなるものであったが、これに限定されるものではない。例えば、外側金属板４００の厚さは、内側金属板２００の厚さ以上であってもよい。また、厚さに限らず、形状や支持部材等により、外側金属板４００が内側金属板２００よりも高い強度を有するようになっていてもよい。
【００４７】
更に、前述した実施の形態では、ロック機構３３０は、機械鍵の操作によるものであったが、これに限定されるものではない。ロック機構３３０は例えば電気鍵でもよく、この場合、前述したハンドル部３３１等が外側金属板４００から露出する必要はなくなる。
【図面の簡単な説明】
【００４８】
【図１】本実施の形態の自動販売機の外観構成例を示す斜視図である。
【図２】本実施の形態の自動販売機の内部構成例を示す斜視図である。
【図３】（ａ）は、本実施の形態の外扉及び筐体の分解構成例を示す斜視図であり、（ｂ）は、（ａ）に例示された外扉及び筐体の組立構成例を示す斜視図である。
【図４】本実施の形態のロック機構及びその周辺の構成例を説明するための外扉の部分断面図である。
【図５】（ａ）は、本実施の形態の外扉の表側から見たロック機構の内側金属板に対する設置例を示す斜視図であり、（ｂ）は、本実施の形態の外扉の表側から見たロック機構と外側金属板との配置例を示す斜視図である。
【図６】本実施の形態の外扉の裏側から見たロック機構の内側金属板に対する設置例を示す斜視図である。
【符号の説明】
【００４９】
１０    自動販売機            ２０      筐体
２１、２２  商品収納コラム    ２３      シュータ
２３ａ  孔部                  ５０      外扉
２００    内側金属板            ２３１、２３４  固定板
２３２、２３３  支持部材        ２３５、２３６  防盗板
３００    接客面                ３００ａ  商品パネル
３００ｂ  商品パネル            ３１１    硬貨投入口
３１２    紙幣挿入口            ３１３    釣銭返却釦
３１４    釣銭返却口            ３２０    商品取出口
３３０    ロック機構            ３３１    ハンドル部
３３１ａ  レバー                ３３２    鍵部
３３３    スライダロック        ３３３ａ  突片
４００    外側金属板            ４１０    上部板
４２０ａ、４２０ｂ  側部板      ４２５    孔部
４３０    下部板
【図１】
2006277381.tif 000003
【図２】
2006277381.tif 000004
【図３】
2006277381.tif 000005
【図４】
2006277381.tif 000006
【図５】
2006277381.tif 000007
【図６】
2006277381.tif 000008